(57)【要約】【課題】  構造が簡単でガイド装置自体の低コスト化、ガイドの取り付けの簡略化、ガイドを消耗部品として考えた場合の低コスト化の実現化、物品との当接角度等の調整の容易性、湾曲形状のガイドとして使用した場合における確実な対応性を図る。【解決手段】  棒状の棒状ガイド体と、支持部本体とを有し、前記支持部本体は、物品との当接側に位置する端面に嵌合凹部を有し、前記棒状ガイド体は、その一部が物品との当接側に出っ張るように前記嵌合凹部内に嵌着されてなるように構成される。【選択図】  図２
2005187116.tif 000002
【特許請求の範囲】
【請求項１】
物品と当接して物品の位置を規制するための棒状の棒状ガイド体と、この棒状ガイド体を固定するための支持部本体とを有するガイド装置であって、
前記支持部本体は、物品との当接側に位置する端面に嵌合凹部を有し、
前記棒状ガイド体は、その一部が物品との当接側に出っ張るように前記嵌合凹部内に嵌着されてなることを特徴とするガイド装置。
【請求項２】
前記棒状ガイド体は、その棒状ガイド体の径方向への変形が容易となるように長手方向に沿って連続的に形成されたスリットを備えてなる請求項１に記載のガイド装置。
【請求項３】
前記スリットは、前記棒状ガイド体の断面において芯部に向かって形成されており、スリット開放端が前記嵌合凹部の略中央部を向くように組み合わされてなる請求項２に記載のガイド装置。
【請求項４】
前記嵌合凹部は、その断面において円の一部を切り取った湾曲形状なしており、
前記棒状ガイド体は実質的な丸棒からなり、当該丸棒部分が嵌合凹部内に嵌着されてなる請求項１ないし請求項３のいずれかに記載のガイド装置。
【請求項５】
前記棒状ガイド体は実質的な丸棒からなり、前記支持部本体の嵌合凹部が形成されている端面よりも出っ張った部分に物品との当接平面が形成されてなる請求項１ないし請求項４のいずれかに記載のガイド装置。
【請求項６】
前記支持部本体の嵌合凹部が形成されている端面は、連続した湾曲面であり、この湾曲面に沿って前記棒状ガイド体が一体的に嵌着されてなる請求項１ないし請求項５のいずれかに記載のガイド装置。
【請求項７】
前記支持部本体の嵌合凹部が形成されている端面は、連続した平面であり、この平面に沿って前記棒状ガイド体が一体的に嵌着されてなる請求項１ないし請求項５のいずれかに記載のガイド装置。
【請求項８】
前記支持部本体の嵌合凹部が形成されている端面は、連続した湾曲面と平面との組み合わせであり、これらの面に沿って前記棒状ガイド体が一体的に嵌着されてなる請求項１ないし請求項５のいずれかに記載のガイド装置。
【請求項９】
前記棒状ガイド体は、樹脂材質からなる請求項１ないし請求項８のいずれかに記載のガイド装置。
【請求項１０】
前記棒状ガイド体は、押し出し成形された樹脂製の丸棒にスリット加工を施して形成されてなる請求項２ないし請求項９のいずれかに記載のガイド装置。
【発明の詳細な説明】
【技術分野】
【０００１】
本発明は、例えば、ベルトコンベヤの上に載置されて搬送される、缶製品、壜製品、樹脂製容器製品等の物品を側方から位置規制するためのガイド装置に関する。特に、湾曲形状のガイドとしては、例えば、スターホイル搬送部における案内ガイドがある。
【背景技術】
【０００２】
ベルトコンベヤの両サイドにガイド装置を設け、ベルトコンベア上に載置されて搬送される、缶製品、壜製品、樹脂製容器製品等の物品を位置規制することは一般に生産工程内でよく見かけられる。
【０００３】
特に搬送対象となる物品の表面の状態が非常にデリケートで、搬送中の接触状態が気になる場合には、接触面のガイド部材として摺動性が優れ、製品にダメージを与えないような樹脂部材が用いられることが多い。また、このような場合、樹脂からなる接触面のガイド部材は、耐久性が十分ではないため、この部分のみ交換できるように、接触面のガイド部材と、このガイド部材を保持する部材とは別体として形成されることが一般的である。
このような構造を備える従来のガイド装置の一例が図７および図８に示される。
【０００４】
図７は、搬送路に設置された片側のガイド装置の斜視図を示したものであり、図８は、２つの部材から組み合わされて形成されるガイド装置の組み立て状態を分かりやすく説明するための斜視図である。
【０００５】
図８に示されるように、従来のガイド装置１００は、物品と当接して物品の位置を規制するための樹脂製の略板状のガイド体１１０と、このガイド体１１０を固定するための支持部本体１５０を有し構成されている。そして、支持部本体１５０の搬送路側に位置する端面１５１には、上下に溝部１５５ａを備える凸部レール１５５が突出して形成されており、この凸部レール１５５に装着可能なようにガイド体１１０には、嵌合凹部１１５が形成されている。
【０００６】
ガイド体１１０を矢印方向にスライド装着することにより、ガイド体１１０と支持部本体１５０との組み合わせ一体化が図られ、図７の状態に至る。なお、これらの一体化物は、その固定を確実なものとするために、通常、ガイド体１１０の搬送路側から支持部本体１５０に向けて固定のための押し螺子が装着されるように構成されている（ただし、物品との接触を邪魔しないように、螺子の頭はガイド体１１０の内部に埋設されるように構成されている）。
【０００７】
しかしながら、このような従来のガイド装置における略板状のガイド体１１０は、消耗品であり交換が必要であるにもかかわらず、特注の成形品あるいは削り出し品であるためコスト高となってしまう。また、上下に溝部１５５ａを備える凸部レール１５５を搬送路の長手方向に亘って備える支持部本体１５０の加工費用も極めて高価なものとなってしまう。
【０００８】
また、従来のガイド装置の構造では、湾曲形状のガイドとした場合に、樹脂から構成されるガイド体１１０の形状が追従して変形することができず、スライド装着とともに、嵌着面でのガイド体１１０の浮き上がりが生じてしまい実用に耐えない。
【０００９】
また、例えば、ガイドする製品との当接面を垂直から斜めにしたりする場合の変更は決して容易には行なえない。
【００１０】
また、他の従来技術として特開２００２−１５４６２９号公報に開示のガイド装置が存在するが、さらなるガイドの取り付けの簡略化が望まれる。
【００１１】
【特許文献１】特開２００２−１５４６２９号公報
【発明の開示】
【発明が解決しようとする課題】
【００１２】
このような実状のもとに本発明は創案されたものであり、その目的は、上記の問題点を解決し、特に、構造が簡単でガイド装置自体の低コスト化が図れ、ガイドの取り付けの簡略化が図れ、ガイドを消耗部品として考えた場合の低コスト化の実現化が図れ、物品との当接角度等の調整の容易性が図れ、湾曲形状のガイドとして使用した場合においても確実な対応がとれるガイド装置を提供することにある。
【課題を解決するための手段】
【００１３】
上記課題を解決するために本発明のガイド装置は、物品と当接して物品の位置を規制するための棒状の棒状ガイド体と、この棒状ガイド体を固定するための支持部本体とを有するガイド装置であって、前記支持部本体は、物品との当接側に位置する端面に嵌合凹部を有し、前記棒状ガイド体は、その一部が物品との当接側に出っ張るように前記嵌合凹部内に嵌着されてなるように構成される。
【００１４】
本発明のガイド装置の好ましい態様として、前記棒状ガイド体は、その棒状ガイド体の径方向への変形が容易となるように長手方向に沿って連続的に形成されたスリットを備えてなるように構成される。
【００１５】
本発明のガイド装置の好ましい態様として、前記スリットは、前記棒状ガイド体の断面において芯部に向かって形成されており、スリット開放端が前記嵌合凹部の略中央部を向くように組み合わされてなるように構成される。
【００１６】
本発明のガイド装置の好ましい態様として、前記嵌合凹部は、その断面において円の一部を切り取った湾曲形状なしており、前記棒状ガイド体は実質的な丸棒からなり、当該丸棒部分が嵌合凹部内に嵌着されてなるように構成される。
【００１７】
本発明のガイド装置の好ましい態様として、前記棒状ガイド体は実質的な丸棒からなり、前記支持部本体の嵌合凹部が形成されている端面よりも出っ張った部分に物品との当接平面が形成されてなるように構成される。
【００１８】
本発明のガイド装置の好ましい態様として、前記支持部本体の嵌合凹部が形成されている端面は、連続した湾曲面であり、この湾曲面に沿って前記棒状ガイド体が一体的に嵌着されてなるように構成される。
【００１９】
本発明のガイド装置の好ましい態様として、前記支持部本体の嵌合凹部が形成されている端面は、連続した平面であり、この平面に沿って前記棒状ガイド体が一体的に嵌着されてなるように構成される。
【００２０】
本発明のガイド装置の好ましい態様として、前記支持部本体の嵌合凹部が形成されている端面は、連続した湾曲面と平面との組み合わせであり、これらの面に沿って前記棒状ガイド体が一体的に嵌着されてなるように構成される。
【００２１】
本発明のガイド装置の好ましい態様として、前記棒状ガイド体は、樹脂材質からなるように構成される。
【００２２】
本発明のガイド装置の好ましい態様として、前記棒状ガイド体は、押し出し成形された樹脂製の丸棒にスリット加工を施して形成されてなるように構成される。
【発明の効果】
【００２３】
本発明のガイド装置は、物品と当接して物品の位置を規制するための棒状の棒状ガイド体と、この棒状ガイド体を固定するための支持部本体とを有し、前記支持部本体は、物品との当接側に位置する端面に嵌合凹部を有し、前記棒状ガイド体は、その一部が物品との当接側に出っ張るように前記嵌合凹部内に嵌着されてなるように構成されている。さらに好ましい態様として、前記棒状ガイド体は、その棒状ガイド体の径方向への変形が容易となるように長手方向に沿って連続的に形成されたスリットを備えて構成されている。
【００２４】
従って、構造がきわめて簡単となりガイド装置自体の低コスト化が図れ、ガイドの取り付けの簡略化が図れ、ガイドを消耗部品として考えた場合一般の市販品の使用も可能であるため低コスト化の実現化が図れ、単純な後加工により物品との当接角度等の調整の容易性が図れ、さらに棒状ガイドの組み合わせ形態により湾曲形状のガイドとして使用した場合においても確実な対応をとることができる。
【発明を実施するための最良の形態】
【００２５】
本発明を実施するための最良の形態を図１〜図３を参照しつつ詳細に説明する。
図１は、本発明の好適なガイド装置の一形態を示す概略平面図であり、図２は図１のＡ−Ａ断面矢視図であり、図３は本発明の好適なガイド装置を組み立てる前の状態を簡易的に示した概念図であり強いて言えば図２に相当する図面である。
【００２６】
図１および図２に示されるように、本発明のガイド装置１は、例えばベルトコンベア等の搬送路５０の側端に沿って配置され、当該装置１は、物品７と当接して物品７の位置を規制するための棒状の棒状ガイド体１０と、この棒状ガイド体１０を固定するための支持部本体３０とを有して構成されている。
【００２７】
ガイド装置１はその使用態様によって、搬送路の両側端に対向するように配置してもよいし、片側端のみの配置としてもよい。片側端のみの配置としては、例えば、スターホイル搬送部におけるガイド装置が例示できる。この場合のガイド形状は、図１に示されるような湾曲形状のガイドとなるが、本発明では、この湾曲形状に限定されるものではなく、通常の直線形状のガイドであってもよい。
【００２８】
本発明における支持部本体３０は、物品７との当接側に位置する側の端面３８に嵌合凹部３５を有している。嵌合凹部３５の断面形状（図２）は特に制限はないが、棒状ガイド体１０との装脱着性を考慮すれば、図２に示されるようにその断面において円の一部を切り取った湾曲形状とするのが良い。半円程度の湾曲形状でもよいが、嵌着性を確実なものとするためには、半円よりもやや大きめの湾曲形状とすることが望ましい。
【００２９】
支持部本体３０の嵌合凹部３５が形成されている端面３８は、連続した湾曲面であっても良いし、連続した平面であっても良いし、連続した湾曲面と平面との組み合わせであっても良い。そして、このような端面３８に沿って棒状ガイド体１０が一体的に嵌着されている。
【００３０】
本発明における棒状ガイド体１０は、嵌合凹部３５への嵌着に際し、棒状ガイド体１０の径内側方向への変形が容易となるように棒状の長手方向に沿って連続的に形成されたスリット１２を備えている。このスリット１２の存在により、嵌合凹部３５への装着が容易となり、また、湾曲形状のガイドとしても柔軟に対応することができる。嵌合凹部３５への棒状ガイド体１０の装着は、長手方向の片端からスライド装着するようにしてもよいし、双方の部材を向き合わせた状態から強制的に圧入するようにしてもよい。
【００３１】
スリット１２は、棒状ガイド体１０の断面において芯部に向かって形成されることが望ましく、スリット１２の開放端１２ａが嵌合凹部３５の略中央部（図２矢印Ｐ方向）を向くように組み合わされることが望ましい。
【００３２】
このような棒状ガイド体１０は、図２に示されるようにその一部が物品７との当接側に端面３８よりも出っ張るように嵌合凹部３５内に嵌着されている。棒状ガイド体１０を物品７との摺接面とするためである。
【００３３】
棒状ガイド体１０は、汎用性を高めるために実質的な丸棒からなり、丸棒の大半部分が嵌合凹部３５内に嵌着されるようにすることが好ましい。「実質的な丸棒」としたのは、丸棒の一部の面を長手方向に亘って切り落とすように後加工して、図２に示されるように嵌合凹部３５が形成されている端面３８よりも出っ張った部分に物品７との当接平面１１を形成することが好適な使用態様の一つとして挙げられるからである。
【００３４】
このような実質的な丸棒の使用態様により、嵌合凹部３５内への挿入角度を変えることで、物品との当たり面傾斜角度を任意に設定することができる。例えば、壜ビール等の傾斜するショルダーへの当接設定を容易に行なうことができるようになる。なお、丸棒の一部の面を長手方向に亘って切り落とすようにする後加工は、棒状ガイド体１０を嵌合凹部３５内に嵌着させた後に行なってもよい。
【００３５】
このような棒状ガイド体１０は、樹脂材質、特に摺動抵抗の小さい樹脂材質を使用することが望まれる。本発明では汎用の押し出し成形された樹脂製の丸棒を利用することができ、この丸棒にスリット加工や面落とし加工を施すことによって、交換用の消耗部材である棒状ガイド体１０を安価に得ることができる。
【００３６】
図４〜図６にはそれぞれ本発明のガイド装置１に用いられる棒状のガイド体１０の他の変形例が示される。これらの図面はそれぞれ図２に相当する図面であり、図１のＡ−Ａ断面矢視の図面に相当する。図４は、丸棒をそのまま棒状のガイド体１０に使用する場合であり、物品７との接触を線接触とする場合に好都合である。
【００３７】
図５に示される棒状のガイド体１０は、嵌合凹部３５内に嵌着される湾曲棒状体部分１３と搬送路側に突出した矩形部分１５を備えるものである。矩形部分１５による周り止め効果が期待でき、湾曲棒状体部分１３の不必要な回動を回避するのに有効である。このものは、通常、異形押し出し技術を利用することにより一体成形が可能である。図６は、図５のさらなる変形例であり、搬送路側に突出した略矩形部分１６の物品との当接面１６ａが傾斜面となっている具体例である。この場合もやはり、異形押し出し技術を利用することにより一体成形が可能である。
【産業上の利用可能性】
【００３８】
本発明は、例えば、ベルトコンベヤの上に載置されて搬送される、缶製品、壜製品、樹脂製容器製品等の物品を側方から位置規制するためのガイド装置に利用することができる。例えば、容器の欠陥を検査する装置において、スターホイル搬送部の案内ガイドは、低摩擦製が重要な要件となり、特に成形直後のＰＥＴ等、非常にデリケートな容器の場合には特殊なガイドが必要となる。
【図面の簡単な説明】
【００３９】
【図１】本発明の好適なガイド装置の一形態を示す概略平面図である。
【図２】図１のＡ−Ａ断面矢視図である。
【図３】本発明の好適なガイド装置を組み立てる前の状態を簡易的に示した概念図である。
【図４】本発明のガイド装置に用いられる棒状のガイド体の他の変形例を示す断面図である。
【図５】本発明のガイド装置に用いられる棒状のガイド体の他の変形例を示す断面図である。
【図６】本発明のガイド装置に用いられる棒状のガイド体の他の変形例を示す断面図である。
【図７】従来の態様を示す図面であり、搬送路に設置された片側のガイド装置の斜視図を示す図面である。
【図８】従来の態様を示す図面であり、２つの部材から組み合わされて形成されるガイド装置の組み立て状態を分かりやすく説明するための斜視図である。
【符号の説明】
【００４０】
１…ガイド装置
７…物品
１０…棒状ガイド体
１１…当接平面
１２…スリット
３０…支持部本体
３５…嵌合凹部
【図１】
2005187116.tif 000003
【図２】
2005187116.tif 000004
【図３】
2005187116.tif 000005
【図４】
2005187116.tif 000006
【図５】
2005187116.tif 000007
【図６】
2005187116.tif 000008
【図７】
2005187116.tif 000009
【図８】
2005187116.tif 000010